(57)【要約】【課題】使用者が、所望の放送について視聴が可能か否かを容易に把握することができる携帯端末装置及びその動作制御方法を提供すること。【解決手段】携帯電話装置１００は、放送波を受信する放送波受信部１０２を備える。ＣＰＵ１１７は、使用者により指定されるチャネルや番組等の視聴希望条件を取得し、取得した視聴希望条件に基づいて放送波受信部１０２を制御し、受信した放送波の受信品質を測定する。そして、ＣＰＵ１１７は、測定された受信品質を示す値と所定のしきい値とを比較し、その比較した結果に応じて、音声処理部１０５や、表示データ処理部１１１を制御し、スピーカ１０５や表示器１０９より報知する。【選択図】図１
2007235878.tif 000002
【特許請求の範囲】
【請求項１】
放送波を受信する放送波受信部と、
受信する放送について、使用者により指定される視聴希望条件を取得する条件取得部と、
前記条件取得部により取得した視聴希望条件に基づいて前記放送波受信部を制御し、受信した放送波の受信品質を測定する受信品質測定部と、
前記受信品質測定部により測定された受信品質を示す値と所定のしきい値とを比較し、その比較した結果に応じて、報知動作の制御を行う報知動作制御部と
を備える携帯端末装置。
【請求項２】
請求項１に記載の携帯端末装置であって、
放送番組に関する番組情報を取得する番組情報取得部を更に備え、
前記条件取得部は、前記使用者により番組が指定された場合、前記番組情報取得部により取得された番組情報を参照して、前記指定された番組のチャネルと開始時刻及び終了時刻とを前記視聴希望条件として取得する携帯端末装置。
【請求項３】
請求項１又は２に記載の携帯端末装置であって、
放送番組に関する番組情報を取得する番組情報取得部を更に備え、
前記条件取得部は、前記使用者によりキーワードが指定された場合、前記番組情報取得部により取得された番組情報を参照して、前記キーワードを含む番組を特定し、当該特定された番組のチャネルと開始時刻及び終了時刻とを前記視聴希望条件として取得する携帯端末装置。
【請求項４】
請求項１ないし３のいずれか一項に記載の携帯端末装置であって、
前記報知動作制御部は、前記条件取得部により取得された視聴希望条件に終了時刻情報を含むとき、前記終了時刻までに前記受信品質測定部により測定された受信品質が前記しきい値以上にならなかった場合に、その旨を報知する制御を行う携帯端末装置。
【請求項５】
請求項１ないし４のいずれか一項に記載の携帯端末装置であって、
前記報知動作制御部は、前記条件取得部により取得された視聴希望条件に開始時刻情報を含むとき、前記開始時刻の所定時間前において、前記受信品質測定部により測定された受信品質が前記しきい値以上にならなかった場合に、その旨を報知する制御を行う携帯端末装置。
【請求項６】
請求項１ないし５のいずれか一項に記載の携帯端末装置であって、
前記報知動作制御部は、音声出力装置、振動装置及び表示装置のうち少なくとも一つを制御する制御信号を生成する携帯端末装置。
【請求項７】
請求項１ないし６のいずれか一項に記載の携帯端末装置であって、
前記報知動作制御部は、前記受信品質を示す値が前記しきい値以上のとき、前記放送波受信部により受信された放送波の放送データを音声出力装置及び表示装置の少なくとも一方から出力する携帯端末装置。
【請求項８】
請求項１ないし７のいずれか一項に記載の携帯端末装置であって、
前記受信品質測定部により受信品質を測定するタイミングに応じて前記放送波受信部の動作を起動する放送波受信起動制御部を更に備える携帯端末装置。
【請求項９】
請求項８に記載の携帯端末装置であって、
前記放送波受信起動制御部は、所定の時間毎に前記放送波受信部の動作を起動する携帯端末装置。
【請求項１０】
請求項８又は９に記載の携帯端末装置であって、
無線基地局と無線通信を行う無線通信部を更に備え、
前記放送波受信起動制御部は、前記無線通信部の通信対象となる無線基地局が切り替わったときに、前記放送波受信部の動作を起動する携帯端末装置。
【請求項１１】
請求項８ないし１０のいずれか一項に記載の携帯端末装置であって、
イヤホンを接続可能なイヤホン接続部を更に備え、
前記放送波受信起動制御部は、前記イヤホン接続部におけるイヤホン接続が検出されたときに、前記放送波受信部の動作を起動する携帯端末装置。
【請求項１２】
請求項１ないし１１のいずれか一項に記載の携帯端末装置であって、
現在位置に関する情報を取得する位置情報取得部と、
位置に関する情報と受信可能なチャネルとが対応付けられた受信可能情報を取得する受信可能情報取得部とを更に備える携帯端末装置。
【請求項１３】
請求項１２に記載の携帯端末装置であって、
前記受信品質測定部は、前記条件取得部により取得された視聴希望条件にチャネルが含まれない場合、前記受信可能情報を参照して、前記位置情報取得部により取得された現在位置にて受信可能なチャネルの受信品質を測定する携帯端末装置。
【請求項１４】
請求項１２又は１３に記載の携帯端末装置であって、
前記受信可能情報取得部は、前記条件取得部により取得された視聴希望条件に含まれるチャネルの受信が不可である場合、前記現在位置から前記視聴希望条件に含まれるチャネルの受信可能エリアへの誘導情報を取得し、
前記報知動作制御部は、前記取得した誘導情報を報知する携帯端末装置。
【請求項１５】
放送波を受信可能な携帯端末装置の動作制御方法であって、
受信する放送について、使用者により指定される視聴希望条件を取得するステップと、
前記取得した視聴希望条件に基づいて、受信した放送波の受信品質を測定するステップと、
前記測定した受信品質を示す値と所定のしきい値とを比較し、その比較した結果に応じて報知動作の制御を行うステップと
を有する動作制御方法。
【請求項１６】
コンピュータに、請求項１５に記載の各ステップを実行させるプログラム。
【発明の詳細な説明】
【技術分野】
【０００１】
本発明は、放送波を受信可能な携帯端末装置及びその動作制御方法に関する。
【背景技術】
【０００２】
携帯電話等の無線通信を行う携帯端末装置では、現在の状態として、サービスの提供が可能であるか否かの在圏判定を行い、圏外・圏内を表示することが一般的に行われている。例えば、特許文献１には、表示部の表示による報知だけでなく、サービス圏外に存在することや、サービス圏外から圏内へ移動したことを振動により報知する移動局装置が記載されている。
【０００３】
また、近年、地上波ディジタルテレビ放送等の放送受信機能を備えた携帯端末装置が登場している。例えば、特許文献２には、基地局から、その基地局が存在する地域に応じた地上波ディジタルテレビ放送の受信可能チャネル情報を受信することにより、受信可能チャネル情報を取得する携帯型電話機が記載されている。
【０００４】
【特許文献１】特開平９−３０７９５２号公報
【特許文献２】特開２００４−３１２１６４号公報
【発明の開示】
【発明が解決しようとする課題】
【０００５】
しかしながら、放送波を受信し視聴可能であるか否かは、実際に放送データの受信を試みる必要があり、使用者の手を煩わせ、携帯端末装置の電力を消費してしまうといった事情があった。
【０００６】
本発明は、上記の事情に鑑みてなされたものであって、使用者が、所望の放送について視聴が可能か否かを容易に把握することができる携帯端末装置及びその動作制御方法を提供することを目的とする。
【課題を解決するための手段】
【０００７】
本発明は、第１に、放送波を受信する放送波受信部と、受信する放送について、使用者により指定される視聴希望条件を取得する条件取得部と、前記条件取得部により取得した視聴希望条件に基づいて前記放送波受信部を制御し、受信した放送波の受信品質を測定する受信品質測定部と、前記受信品質測定部により測定された受信品質を示す値と所定のしきい値とを比較し、その比較した結果に応じて、報知動作の制御を行う報知動作制御部と
を備える携帯端末装置が提供されるものである。
【０００８】
この構成により、使用者により指定された放送の種別やチャネル、時刻等の視聴希望条件において受信品質を測定し、その受信品質に基づいて、例えば視聴可能であると判定されると使用者に報知される。したがって、使用者は、指定した放送について視聴が可能か否かを容易に把握することができる。
【０００９】
本発明は、第２に、上記第１に記載の携帯端末装置であって、放送番組に関する番組情報を取得する番組情報取得部を更に備え、前記条件取得部は、前記使用者により番組が指定された場合、前記番組情報取得部により取得された番組情報を参照して、前記指定された番組のチャネルと開始時刻及び終了時刻とを前記視聴希望条件として取得する。
【００１０】
この構成により、使用者は、視聴希望条件として、番組を指定することができるので、容易に所望の視聴希望条件の指定を行うことができる。
【００１１】
本発明は、第３に、上記第１又は第２に記載の携帯端末装置であって、放送番組に関する番組情報を取得する番組情報取得部を更に備え、前記条件取得部は、前記使用者によりキーワードが指定された場合、前記番組情報取得部により取得された番組情報を参照して、前記キーワードを含む番組を特定し、当該特定された番組のチャネルと開始時刻及び終了時刻とを前記視聴希望条件として取得する。
【００１２】
この構成により、使用者は、視聴希望条件として、キーワードを指定することができるので、容易に所望の視聴希望条件の指定を行うことができる。
【００１３】
本発明は、第４に、上記第１ないし第３のいずれかに記載の携帯端末装置であって、前記報知動作制御部は、前記条件取得部により取得された視聴希望条件に終了時刻情報を含むとき、前記終了時刻までに前記受信品質測定部により測定された受信品質が前記しきい値以上にならなかった場合に、その旨を報知する制御を行う。
【００１４】
この構成により、使用者は希望した時刻までに所望の放送が視聴できなかったという結果を把握することができる。
【００１５】
本発明は、第５に、上記第１ないし第４のいずれかに記載の携帯端末装置であって、前記報知動作制御部は、前記条件取得部により取得された視聴希望条件に開始時刻情報を含むとき、前記開始時刻の所定時間前において、前記受信品質測定部により測定された受信品質が前記しきい値以上にならなかった場合に、その旨を報知する制御を行う。
【００１６】
この構成により、使用者は、開始時刻の所定時間前に視聴できないこと把握することにより、他の人に録画を頼んだり、自分で視聴可能な場所に移動したりするように、事前に対処を取ることができる。
【００１７】
本発明は、第６に、上記第１ないし第５のいずれかに記載の携帯端末装置であって、前記報知動作制御部は、音声出力装置、振動装置及び表示装置のうち少なくとも一つを制御する制御信号を生成する。
【００１８】
この構成により、報知動作として、スピーカからの音声や、バイブレータによる振動、表示装置による表示により、使用者は、指定した放送について視聴が可能か否かを容易に把握することができる。
【００１９】
本発明は、第７に、上記第１ないし第６のいずれかに記載の携帯端末装置であって、前記報知動作制御部は、前記受信品質を示す値が前記しきい値以上のとき、前記放送波受信部により受信された放送波の放送データを音声出力装置及び表示装置の少なくとも一方から出力する。
【００２０】
この構成により、指定された放送が視聴可能できると判定されたとき、自動的にその放送データを出力するので、使用者は視聴可能であることを把握することが可能であると共に、放送視聴機能を起動させる動作が不要となる。
【００２１】
本発明は、第８に、上記第１ないし第７のいずれかに記載の携帯端末装置であって、前記受信品質測定部により受信品質を測定するタイミングに応じて前記放送波受信部の動作を起動する放送波受信起動制御部を更に備える。
【００２２】
この構成により、受信品質を測定するとき以外の放送波受信部を休止させることができるので、携帯端末装置の消費電力を低減させることができる。
【００２３】
本発明は、第９に、上記第８に記載の携帯端末装置であって、前記放送波受信起動制御部は、所定の時間毎に前記放送波受信部の動作を起動する。
【００２４】
この構成により、所定時間毎に放送波受信部の動作を起動して受信品質を測定するので、携帯端末装置の消費電力を低減させることができる。
【００２５】
本発明は、第１０に、上記第８又は第９に記載の携帯端末装置であって、無線基地局と無線通信を行う無線通信部を更に備え、前記放送波受信起動制御部は、前記無線通信部の通信対象となる無線基地局が切り替わったときに、前記放送波受信部の動作を起動する。
【００２６】
この構成により、無線通信の対象となる無線基地局が切り替わったハンドオーバーが行われたとき、すなわち携帯端末装置が移動したと推定されるときに放送波受信部の動作を起動するので、携帯端末装置の消費電力を低減させることができる。
【００２７】
本発明は、第１１に、上記第８ないし第１０のいずれかに記載の携帯端末装置であって、イヤホンを接続可能なイヤホン接続部を更に備え、前記放送波受信起動制御部は、前記イヤホン接続部におけるイヤホン接続が検出されたときに、前記放送波受信部の動作を起動する。
【００２８】
この構成により、イヤホンが接続されたとき、すなわち使用者が放送の視聴の意図があると推定されるときに放送波受信部の動作を起動するので、携帯端末装置の消費電力を低減させることができる。
【００２９】
本発明は、第１２に、上記第１ないし第１１のいずれかに記載の携帯端末装置であって、現在位置に関する情報を取得する位置情報取得部と、位置に関する情報と受信可能なチャネルとが対応付けられた受信可能情報を取得する受信可能情報取得部とを更に備える。
【００３０】
この構成により、携帯端末装置が存在する現在位置において受信可能又は受信不可能なチャネルを把握することができる。
【００３１】
本発明は、第１３に、上記第１２に記載の携帯端末装置であって、前記受信品質測定部は、前記条件取得部により取得された視聴希望条件にチャネルが含まれない場合、前記受信可能情報を参照して、前記位置情報取得部により取得された現在位置にて受信可能なチャネルの受信品質を測定する。
【００３２】
この構成により、視聴希望条件に放送波の種別のみが指定された場合等、チャネルの指定がされていないときに、現在位置にて受信可能なチャネルのみをスキャンするので、携帯端末装置の消費電力を低減させることができる。
【００３３】
本発明は、第１４に、上記第１２又は第１３に記載の携帯端末装置であって、前記受信可能情報取得部は、前記条件取得部により取得された視聴希望条件に含まれるチャネルの受信が不可である場合、前記現在位置から前記視聴希望条件に含まれるチャネルの受信可能エリアへの誘導情報を取得し、前記報知動作制御部は、前記取得した誘導情報を報知する。
【００３４】
この構成により、使用者は、指定したチャネルを受信することができないときに、誘導情報にしたがって、受信可能エリアへ移動することができる。
【００３５】
本発明は、第１５に、放送波を受信可能な携帯端末装置の動作制御方法であって、受信する放送について、使用者により指定される視聴希望条件を取得するステップと、前記取得した視聴希望条件に基づいて、受信した放送波の受信品質を測定するステップと、前記測定した受信品質を示す値と所定のしきい値とを比較し、その比較した結果に応じて報知動作の制御を行うステップとを有する動作制御方法が提供されるものである。
【００３６】
この方法により、使用者により指定された放送の種別やチャネル、時刻等の視聴希望条件について受信品質を測定し、その受信品質に基づいて、例えば視聴可能であると判定されると使用者に報知される。したがって、使用者は、指定した放送について視聴が可能か否かを容易に把握することができる。
【００３７】
本発明は、第１６に、コンピュータに、上記第１５に記載の各ステップを実行させるプログラムが提供されるものである。
【００３８】
このプログラムにより、使用者により指定された放送の種別やチャネル、時刻等の視聴希望条件について受信品質を測定し、その受信品質に基づいて、例えば視聴可能であると判定されると使用者に報知される。したがって、使用者は、指定した放送について視聴が可能か否かを容易に把握することができる。
【発明の効果】
【００３９】
本発明によれば、使用者が、所望の放送について視聴が可能か否かを容易に把握することができる携帯端末装置及びその動作制御方法を提供することができる。
【発明を実施するための最良の形態】
【００４０】
以下、本発明の実施形態について、図面を参照して説明する。なお、本実施形態では、携帯端末装置の一例として携帯電話装置を説明するが、本実施形態の携帯端末装置は、携帯情報端末（ＰＤＡ：Personal Digital Assistant）等、種々の携帯型の電子機器に適用可能である。
【００４１】
（第１の実施形態）
図１は、本発明の第１の実施形態に係る携帯電話装置の概略構成を示すブロック図である。図１に示すように、本実施形態の携帯電話装置１００は、アンテナ１０１と、放送波受信部１０２と、ストリームデコーダ１０３と、音声データ処理部１０４と、鳴音処理部１０５と、スピーカ１０６と、イヤホンジャック１０７と、イヤホン接続検出部１０８と、映像データ処理部１０９と、文字データ処理部１１０と、表示データ処理部１１１と、表示器１１２と、バイブレータ１１３と、操作部１１４と、記憶部１１５と、無線受信部１１６と、無線送信部１１７と、位置情報取得部１１８と、タイマ１１９と、ＣＰＵ１２０とを備える。
【００４２】
放送波受信部１０２は、アンテナ１０１を介して、ディジタルテレビ放送や、アナログテレビ放送、ＡＭやＦＭラジオ放送等のうち、いずれか少なくとも一つの放送波を受信する。また、受信品質測定部の一例として動作し、ＣＰＵ１２０から指定された視聴希望条件に基づいて、放送波の受信信号強度等の受信品質を測定する。さらに、番組情報取得部の一例として動作し、放送番組に関する番組情報として、放送波に含まれる電子番組ガイド（Electronic Program Guide、以下ＥＰＧという）情報を取得する。
【００４３】
ストリームデコーダ１０３は、放送波受信部１０２で受信した放送波信号において、音声データや映像データ、文字データ等を多重したストリームを復号して音声データと映像データと文字データ等に分離する。
【００４４】
音声データ処理部１０４は、ストリームデコーダ１０３から出力された音声データに対してデータ処理を行い、音声信号を出力する。鳴音処理部１０５は、ＣＰＵ１２０による制御に基づいて、音声信号を出力する。スピーカ１０６は、音声データ処理部１０４又は鳴音処理部１０５から出力された音声信号に応じた音声出力を行う。
【００４５】
イヤホンジャック１０７は、イヤホンを接続可能なイヤホン接続部の一例であり、音声データ処理部１０４及び鳴音処理部１０５からの音声信号を外部に出力するための出力端子である。イヤホンジャック１０７には、アンテナ機能を有するイヤホンアンテナ等が接続される。イヤホン接続検出部１０８は、イヤホンジャック１０７にイヤホン等が接続されたか否かを検出し、ＣＰＵ１２０に接続検出信号を出力する。
【００４６】
映像データ処理部１０９は、ストリームデコーダ１０３から出力された映像データに対してデータ処理を行い、映像信号を出力する。文字データ処理部１１０は、ストリームデコーダ１０３から出力された文字データに対してデータ処理を行い、文字データを出力する。表示データ処理部１１１は、ＣＰＵ１２０の指示に基づき、表示器１１２に対する表示すべきデータの処理を行う。
【００４７】
表示器１１２は、表示データ処理部１１１から出力された携帯電話装置１００の状況に応じた情報を表示し、また、テレビ放送等の放送閲覧時には、映像データ処理部１０９で出力されたテレビ映像や文字データ処理部１１０で出力された文字データを表示する。
【００４８】
バイブレータ１１３は、ＣＰＵ１２０による制御に基づいて振動出力を行う。操作部１１４は、数字キーや文字キー、各種機能キー等を有して構成され、機能設定や、データ転送指示などの各種操作に用いられる。
【００４９】
記憶部１１５は、放送波受信部１０２により受信した映像データ、ＥＰＧ情報等の番組情報、不図示のカメラにより撮像された画像データや、電話帳データ、送受信メールデータ、使用者により入力されたメモデータ、ウェブサイト等からダウンロードしたデータ等を記憶する。
【００５０】
無線受信部１１６は、無線通信部の一例として動作し、アンテナ１０１を介して無線基地局から所定の周波数帯域による無線信号の受信を行う。また、番組情報取得部の一例として動作し、操作部１１４からの指示又は所定の時刻に無線基地局を介してインターネットに接続し、インターネット上のウェブサーバよりＥＰＧ情報等の放送番組に関する番組情報を取得してもよい。無線送信部１１７は、アンテナ１０１を介して無線基地局へ所定の周波数帯域による無線信号の送信を行う。
【００５１】
位置情報取得部１１８は、現在位置情報例えばＧＰＳ（Global Positioning System）衛星からの信号や、無線受信部１１６において取得した無線基地局の情報等により、携帯電話装置１００が位置する現在位置に関する情報を取得する。タイマ１１９は、時刻や時間を計時する。ＣＰＵ１２０は、携帯電話装置１００全体の動作を制御するものであり、所定の動作制御プログラムによって動作するプロセッサを主体に構成される。また、ＣＰＵ１２０は、受信する放送について、使用者により指定される視聴希望条件を取得する条件取得部と、受信品質を示す値と所定のしきい値とを比較し、その比較した結果に応じて、報知動作の制御を行う報知動作制御部と、無線通信部の通信対象となる無線基地局が切り替わったときに、放送波受信部１０２の動作を起動する放送波受信起動制御部と、位置に関する情報と受信可能なチャネルとが対応付けられた受信可能情報を取得する受信可能情報取得部との一例として動作する。
【００５２】
図２は、本発明の第１の実施形態に係る携帯電話装置の動作の概念を示す説明図である。図２に示すように、携帯電話装置１００は、放送電波配信用アンテナ２００により放送波が配信される領域２００ａの範囲内であれば、その放送波により配信される情報の視聴が可能であり、領域２００ａの範囲外であれば、配信される情報の視聴が不可能である。
【００５３】
そして、本実施形態の携帯電話装置１００は、使用者により、視聴を希望する放送の種別（ディジタルテレビ・アナログテレビ・ＡＭラジオ・ＦＭラジオ等）や、チャネル、時刻、番組等の視聴希望条件の指定を受け付けることが可能である。そして、指定された条件に合致した放送の視聴可能領域２００ａの内部に移動すると、指定された条件に合致した放送が視聴可能となったことを、スピーカ１０６からの音声出力、バイブレータ１１３からの振動出力、表示器１１２からの表示出力、又は受信した放送波の放送データの出力等により使用者に報知する。
【００５４】
以上のように構成された携帯電話装置１００について、図３に示すフローチャートを用いてその動作を説明する。図３は、本発明の第１の実施形態に係る携帯電話装置の動作手順の一例を示すフローチャートである。
【００５５】
使用者は、操作部１１４を操作し、視聴を希望する条件として、放送の種別（ディジタルテレビ・アナログテレビ・ＡＭラジオ・ＦＭラジオ等）や、チャネル、時刻、番組、キーワード等の少なくとも一つを入力する。ＣＰＵ１２０は、操作部１１４から入力された情報から、視聴希望条件を取得する。例えば、番組やキーワードの指定が入力された場合、ＣＰＵ１２０は、記憶部１１５に記憶されたＥＰＧ情報を参照して、指定された番組又は指定されたキーワードを含む番組のチャネル及び開始・終了時刻を視聴希望条件として取得する。このように、ＥＰＧ情報等を利用すれば、視聴希望条件として、番組やキーワードを指定することができるので、容易に所望の視聴希望条件の指定を行うことができる。
【００５６】
ステップＳ３０１において取得された視聴希望条件に、開始時刻の指定が含まれていれば（ステップＳ３０２のＹＥＳ）、開始時刻まで待機して（ステップＳ３０３）、ステップＳ３０４に進む。なお、ステップＳ３０３は、開始時刻に限らず、開始時刻の所定時間前（例えば開始時刻の５分前）まで待機し、ステップＳ３０４に進んでもよい。
【００５７】
視聴希望条件に、開始時刻の指定が含まれていない場合（ステップＳ３０２のＮＯ）、又はステップＳ３０３において指定された開始時刻となると、放送波受信部１０２は、指定された条件に応じた放送波の受信信号強度を測定する（ステップＳ３０４）。例えば、ディジタルテレビ放送のチャネル５が指定されていれば、放送波受信部１０２は、指定されたチャネルに合わせ、受信した放送波の受信信号強度を測定する。
【００５８】
ＣＰＵ１２０は、ステップＳ３０４において測定された受信信号強度と所定のしきい値ＴＨとを比較し、受信信号強度がしきい値ＴＨ以上であれば（ステップＳ３０５のＹＥＳ）、視聴可能となったことを報知するための制御を行う（ステップＳ３０６）。
【００５９】
なお、ステップＳ３０６において行われる報知動作は、スピーカからの音声出力、表示器１１２からの表示出力、バイブレータ１１３からの振動出力のいずれか少なくとも一つ、又は受信放送データの出力により行われる。例えば、ＣＰＵ１２０に基づいて、鳴音処理部１０５がスピーカ１０６から予め定められた鳴音パターンや音声ガイドを出力したり、表示データ処理部１１１が表示器１１２に「ディジタルテレビ放送のチャネル５が視聴可能です」といったメッセージを表示したり、バイブレータ１１３が予め定められた振動パターンで振動したり、又は、ストリームデコーダ１０３を作動させて受信した放送データを復号してスピーカ１０６及び表示器１１２の少なくとも一方から出力したりすることにより、報知動作を行う。
【００６０】
また、ＣＰＵ１２０は、受信信号強度がしきい値ＴＨより小さければ（ステップＳ３０５のＮＯ）、タイマ１１９を参照して、現在時刻が視聴希望条件に指定された終了時刻に達しているか否かを判定する。そして、現在時刻が終了時刻に達していれば（ステップＳ３０７のＹＥＳ）、ＣＰＵ１２０は、視聴不可であることを報知するための制御を行う（ステップＳ３０８）。なお、ステップＳ３０７において、終了時刻が視聴希望条件に含まれていない場合は、ステップＳ３０９に進むものとする。
【００６１】
なお、ステップＳ３０８において行われる報知動作は、スピーカからの音声出力、表示器１１２からの表示出力、バイブレータ１１３からの振動出力のいずれか少なくとも一つにより行われる。例えば、ＣＰＵ１２０に基づいて、鳴音処理部１０５がスピーカ１０６から予め定められた鳴音パターンや音声ガイドを出力したり、表示データ処理部１１１が表示器１１２に「ディジタルテレビ放送の番組○○は視聴不可能でした」といったメッセージを表示したり、バイブレータ１１３が予め定められた振動パターンで振動したりすることにより、報知動作を行う。
【００６２】
一方、現在時刻が視聴希望条件に指定された終了時刻に達していなければ（ステップＳ３０７のＮＯ）、ＣＰＵ１２０は、タイマ１１９を参照して所定時間経過したか否かを判定し（ステップＳ３０９）、所定時間経過後（ステップＳ３０９のＹＥＳ）、ステップＳ３０４に戻り、放送波受信部１０２を起動して受信信号強度の測定を行う。このように、所定時間毎に放送波受信部１０２をオン状態、それ以外はオフ状態に制御することで、受信品質を測定するとき以外の放送波受信部１０２を休止させることができるので、携帯電話装置１００の消費電力を低減させることができる。
【００６３】
なお、上述の説明において、ＣＰＵ１２０は、放送波受信部１０２により測定される受信信号強度に基づいて報知動作の制御を行っているが、受信信号強度に限られるものではなく、受信データの誤り率等、受信品質を示す値に基づいて報知動作の制御を行ってもよい。
【００６４】
図４は、本発明の第１の実施形態に係る携帯電話装置の放送受信可能エリア及び無線通信可能エリアの関係を示す説明図である。図４において、図２と重複する部分には同一の符号を付す。
【００６５】
図４に示すように、携帯電話装置１００は、放送電波配信用アンテナ２００により放送波が配信される領域２００ａの範囲内であれば、その放送波により配信される情報の視聴が可能であり、領域２００ａの範囲外であれば、配信される情報の視聴が不可能である。
【００６６】
また、携帯電話装置１００は、無線基地局４０１の通信領域４０１ａ、無線基地局４０２の通信領域４０２ａ、無線基地局４０３の通信領域４０３ａの範囲内において、それぞれの無線基地局との無線通信が可能である。
【００６７】
ここで、携帯電話装置１００は、無線基地局の通信領域間を移動することに伴って、通信する無線基地局を切り替えるハンドオーバー動作を行う。したがって、ハンドオーバーが起こることにより、携帯電話装置１００の移動があったと判断することができる。これにより、ハンドオーバーを契機として、指定された放送が視聴可能か否かの判定を行ってもよい。
【００６８】
図５は本発明の第１の実施形態に係る携帯電話装置の動作手順の他の例を示すフローチャートである。図５において、ステップＳ３０１〜Ｓ３０８については、図３のフローチャートと同様であるので、説明を省略する。
【００６９】
図５に示すように、受信信号強度がしきい値ＴＨより小さく（ステップＳ３０５のＮＯ）、現在時刻が終了時刻に達していないとき（ステップＳ３０７のＮＯ）、ＣＰＵ１２０は、無線受信部１１６からの情報に基づいて、ハンドオーバーが行われたか否かを監視する（ステップＳ５０９）。そして、ハンドオーバーが行われたとき（ステップＳ５０９のＹＥＳ）、ステップＳ３０４に戻り、受信信号強度の測定を行う。
【００７０】
このようにして、無線通信の対象となる無線基地局が切り替わったハンドオーバーが行われたとき、すなわち携帯電話装置１００が移動したと推定されるときに放送波受信部１０２の動作を起動するので、携帯電話装置１００の消費電力を低減させることができる。また、無線基地局との通信領域は、一般的に、放送波の受信可能領域よりも小さい領域であるので、視聴可能となった時点から大幅な遅延を伴うことなく報知することができる。
【００７１】
なお、携帯電話装置１００は、所定時間の経過や、ハンドオーバーのほか、イヤホンジャック１０７におけるイヤホンの接続をイヤホン接続検出部１０８により検出し、その検出信号を契機として、指定された放送が視聴可能か否かの判定を行ってもよい。イヤホンが接続されたときは、使用者が放送の視聴の意図があると推定されるので、そのときに放送波受信部１０２の動作を起動することで、携帯電話装置１００の消費電力を低減させることができる。
【００７２】
また、上述した、視聴可能か否かの判定を行う契機となる条件は、組み合わされてもよい。例えば、イヤホンジャック１０７にイヤホンが接続されている間に所定時間毎に視聴可能か否かの判定を行ってもよい。
【００７３】
次に、図３及び図５に示すステップＳ３０４における受信信号強度の測定動作について説明する。図６は本発明の第１の実施形態に係る携帯電話装置における受信信号強度測定の動作手順を示すフローチャートである。
【００７４】
使用者により、視聴希望条件として、番組等が指定されたときは、チャネルの指定が含まれていることになるので、放送波受信部１０２は指定されたチャネルの受信信号強度を測定すればよい。しかしながら、チャネルの指定がない、例えば、視聴希望条件にディジタルテレビ放送のみが指定されたような場合には、全ての周波数帯に対してスキャンを実行し、受信信号強度を測定すると、電力の消費量が増大する。
【００７５】
そこで、視聴希望条件にチャネルの指定がない場合には（ステップＳ６０１のＹＥＳ）、位置情報取得部１１８により位置情報を取得する（ステップＳ６０２）。そして、ＣＰＵ１２０は、取得した現在位置に基づいて、測定するチャネルを指定する（ステップＳ６０３）。
【００７６】
なお、測定チャネルの指定方法としては、記憶部１１５に、位置情報（緯度・経度情報又は無線基地局の番号等）と受信可能なチャネルとを対応付けたテーブルを予め記憶させておき、その記憶されているテーブルを参照して測定チャネルの指定を行う方法や、無線受信部１１６及び無線送信部１１７を用いて、インターネット経由等により現在の位置情報から受信可能なチャネルの情報を取得して測定チャネルの指定を行う方法等がある。
【００７７】
そして、ステップＳ６０３においてチャネルが指定されると、又はチャネルの指定がある（ステップＳ６０１のＮＯ）と、放送波受信部１０２は、ＣＰＵ１２０により指定されたチャネルについて受信電界強度を測定する（ステップＳ６０４）。
【００７８】
このようにして、放送波受信部１０２は、視聴希望条件に放送波の種別のみが指定された場合等、チャネルの指定がされていないときに、現在位置にて受信可能なチャネルのみをスキャンするので、携帯電話装置１００の消費電力を低減させることができる。
【００７９】
このような本発明の第１の実施形態によれば、使用者により指定された放送の種別やチャネル、時刻等の視聴希望条件について受信品質を測定し、その受信品質に基づいて、例えば視聴可能であると判定されると使用者に報知される。したがって、使用者は、指定した放送について視聴が可能か否かを容易に把握することができる。
【００８０】
（第２の実施形態）
図７は、本発明の第２の実施形態に係る携帯電話装置の動作手順の一例を示すフローチャートである。図７において、第１の実施形態で説明した図３と重複する部分については同一の符号を付し、その説明を省略する。なお、第２の実施形態に係る携帯電話装置の概略構成は、図１に示す構成と同様である。
【００８１】
図７に示すように、取得した視聴希望条件に、開始時刻の指定が含まれていれば（ステップＳ３０２のＹＥＳ）、開始時刻の所定時間前（例えば開始時刻の５分前）まで待機して（ステップＳ７０１）、ステップＳ３０４の受信信号強度の測定の手順に進む。すなわち、開始時刻の所定時間前に、受信信号強度の測定が行われる。
【００８２】
そして、ステップＳ３０４における受信信号強度の測定の結果、受信信号強度がしきい値ＴＨより小さければ（ステップＳ３０５のＮＯ）、視聴不可であることを報知するための制御を行う（ステップＳ７０２）。
【００８３】
なお、ステップＳ７０２において行われる報知動作は、スピーカからの音声出力、表示器１１２からの表示出力、バイブレータ１１３からの振動出力のいずれか少なくとも一つにより行われる。例えば、ＣＰＵ１２０に基づいて、鳴音処理部１０５がスピーカ１０６から予め定められた鳴音パターンや音声ガイドを出力したり、表示データ処理部１１１が表示器１１２に「ＸＸ時ＸＸ分開始予定のディジタルテレビ放送の番組○○のチャネルＺＺは、現在視聴不可です」といったメッセージを表示したり、バイブレータ１１３が予め定められた振動パターンで振動したりすることにより、報知動作を行う。
【００８４】
このような本発明の第２の実施形態によれば、使用者は、開始時刻の所定時間前に視聴できないこと把握することができるので、他の人に録画を頼んだり、自分で視聴可能な場所に移動したりするように、事前に対処を取ることができる。
【００８５】
（第３の実施形態）
図８は、本発明の第３の実施形態に係る携帯電話装置の動作手順の一例を示すフローチャートである。図８において、第１の実施形態で説明した図３と重複する部分については同一の符号を付し、その説明を省略する。なお、第３の実施形態に係る携帯電話装置の概略構成は、図１に示す構成と同様である。
【００８６】
図８に示すように、ステップＳ３０４において、受信信号強度の測定が行われ、受信信号強度がしきい値ＴＨより小さい場合（ステップＳ３０５のＮＯ）、位置情報取得部１１８により位置情報を取得する（ステップＳ８０１）。そして、ＣＰＵ１２０は、取得した現在位置に基づいて、視聴希望条件に指定されたチャネルが受信可能となるエリア（以下、受信可能エリアという）への誘導情報を取得する（ステップＳ８０２）。なお、視聴希望条件にチャネルが指定されていなければ、現時点で、又は終了時刻後に視聴不可であることを報知する。
【００８７】
なお、ステップＳ８０２において、まず、指定されたチャネルが受信可能エリアの特定を行い、その後、現在位置から受信可能エリアへの誘導情報を取得することにより、受信可能エリアへの誘導情報を取得する。
【００８８】
受信可能エリアの特定方法としては、記憶部１１５に、位置情報（緯度・経度情報又は無線基地局の番号等）と受信可能なチャネルとを対応付けたテーブルを予め記憶させておき、ＣＰＵ１２０が、その記憶されているテーブルを参照して、指定されているチャネルが受信可能なエリアを特定する方法や、無線受信部１１６及び無線送信部１１７を用いて、チャネルと受信可能エリアとを対応付けて管理しているウェブサーバにアクセスして、指定されたチャネルを通知し、そのウェブサーバから受信可能エリアを取得する方法等がある。
【００８９】
そして、ＣＰＵ１２０は、ステップＳ８０１にて取得した現在位置を始点、上記特定した受信可能エリアを終点とした経路等の誘導情報を取得する。この誘導情報の取得方法としては、記憶部１１５に予め地図データベースを予め記憶させておき、ＣＰＵ１２０がこの地図データベースに基づいて求める方法や、無線受信部１１６及び無線送信部１１７を用いて、地図データベースを管理しているウェブサーバにアクセスして、現在位置と受信可能エリアとを通知し、そのウェブサーバから受信可能エリアまでの経路情報を取得する方法等がある。
【００９０】
なお、現在位置情報とチャネルとから、現在位置から受信可能エリアまでの誘導情報を直接算出することが可能な専用のウェブサーバを用いて、携帯電話装置１００が、ステップＳ８０１にて取得した現在位置と、視聴希望条件に指定されたチャネルとをウェブサーバに通知し、その応答を得ることで誘導情報を取得してもよい。
【００９１】
そして、ＣＰＵ１２０は、ステップＳ８０２において取得した誘導情報を報知するための制御を行う（ステップＳ８０３）。このステップＳ８０３において行われる報知動作は、スピーカからの音声出力、表示器１１２からの表示出力のいずれか少なくとも一つにより行われる。例えば、ＣＰＵ１２０に基づいて、鳴音処理部１０５がスピーカ１０６から音声ガイドを出力したり、表示データ処理部１１１が表示器１１２に、現在位置から受信可能エリアまでの経路を重畳した地図を表示したりすることにより、報知動作を行う。
【００９２】
このような本発明の第３の実施形態によれば、使用者は、指定したチャネルを受信することができないときに、誘導情報にしたがって、受信可能エリアへ移動することができる。
【産業上の利用可能性】
【００９３】
本発明の携帯端末装置及びその動作制御方法は、使用者が、所望の放送について視聴が可能か否かを容易に把握することができる効果を有し、携帯電話装置等に有用である。
【図面の簡単な説明】
【００９４】
【図１】本発明の第１の実施形態に係る携帯電話装置の概略構成を示すブロック図
【図２】本発明の第１の実施形態に係る携帯電話装置の動作の概念を示す説明図
【図３】本発明の第１の実施形態に係る携帯電話装置の動作手順の一例を示すフローチャート
【図４】本発明の第１の実施形態に係る携帯電話装置の放送受信可能エリア及び無線通信可能エリアの関係を示す説明図
【図５】本発明の第１の実施形態に係る携帯電話装置の動作手順の他の例を示すフローチャート
【図６】本発明の第１の実施形態に係る携帯電話装置における受信信号強度測定の動作手順を示すフローチャート
【図７】本発明の第２の実施形態に係る携帯電話装置の動作手順の一例を示すフローチャート
【図８】本発明の第３の実施形態に係る携帯電話装置の動作手順の一例を示すフローチャート
【符号の説明】
【００９５】
１００  携帯電話装置
１０１  アンテナ
１０２  放送波受信部
１０３  ストリームデコーダ
１０４  音声データ処理部
１０５  鳴音処理部
１０６  スピーカ
１０７  イヤホンジャック
１０８  イヤホン接続検出部
１０９  映像データ処理部
１１０  文字データ処理部
１１１  表示データ処理部
１１２  表示器
１１３  バイブレータ
１１４  操作部
１１５  記憶部
１１６  無線受信部
１１７  無線送信部
１１８  位置情報取得部
１１９  タイマ
１２０  ＣＰＵ
２００  放送電波配信用アンテナ
４０１，４０２，４０３  無線基地局
【図１】
2007235878.tif 000003
【図２】
2007235878.tif 000004
【図３】
2007235878.tif 000005
【図４】
2007235878.tif 000006
【図５】
2007235878.tif 000007
【図６】
2007235878.tif 000008
【図７】
2007235878.tif 000009
【図８】
2007235878.tif 000010